(57)【要約】　　【課題】　特定の落下口に入る遊技球を容易かつ画一的に一定以下に制限できる弾球遊技機を提供する。　　【解決手段】　入賞装置16は、内部が後壁35の前側で仕切部40により左右方向に複数個の落下口28に分割された開口部26と、開口部26を開閉し且つ開状態のときに上方から落下する遊技球を開口部26内へと案内する開閉板17と、開閉板17を開閉操作する開閉駆動手段27と、開口部26内に入賞した遊技球を検出する球検出スイッチ36と、複数個の落下口28の内、特定の落下口28a を通過する遊技球を検出する特定検出スイッチ37と、後壁35から前側に突出し且つ開口部26内に入賞した遊技球の内、所定数の遊技球が特定の落下口28a を通過したときに、特定の落下口28a への後続の遊技球を阻止するための阻止部材30とを備え、阻止部材30を特定の落下口28a 上の阻止位置と、特定の落下口28a の一側の阻止解除位置との間で左右方向に移動自在に設け、阻止部材30を阻止位置と阻止解除位置との間で往復移動させる阻止駆動手段31を設ける。【選択図】　　図１
2004008815.tif 000002
【特許請求の範囲】
【請求項１】
遊技盤(5) に入賞装置(16)を備えた弾球遊技機において、前記入賞装置(16)は、内部が後壁(35)の前側で仕切部(40)により左右方向に複数個の落下口(28)に分割された開口部(26)と、該開口部(26)を開閉し且つ開状態のときに上方から落下する遊技球を該開口部(26)内へと案内する開閉板(17)と、該開閉板(17)を開閉操作する開閉駆動手段(27)と、前記開口部(26)内に入賞した遊技球を検出する球検出スイッチ(36)と、前記複数個の落下口(28)の内、特定の落下口(28a) を通過する遊技球を検出する特定検出スイッチ(37)と、前記後壁(35)から前側に突出し且つ前記開口部(26)内に入賞した遊技球の内、所定数の遊技球が前記特定の落下口(28a) を通過したときに、該特定の落下口(28a) への後続の遊技球を阻止するための阻止部材(30)とを備え、前記阻止部材(30)を前記特定の落下口(28a) 上の阻止位置と、該特定の落下口(28a) の一側の阻止解除位置との間で左右方向に移動自在に設け、前記阻止部材(30)を前記阻止位置と前記阻止解除位置との間で往復移動させる阻止駆動手段(31)を、前記後壁(35)の後側に左右方向に配置したことを特徴とする弾球遊技機。
【発明の詳細な説明】
【技術分野】
【０００１】
本発明は、パチンコ機、アレンジボール機等の弾球遊技機、取り分けその入賞装置に関するものである。
【背景技術】
【０００２】
　パチンコ機等の弾球遊技機において、従来、遊技盤に装着する入賞装置として、内部が複数個の落下口に分割された開口部の前面側に開閉板を設け、この開閉板をソレノイド等の開閉駆動手段により開閉するように構成し、所定の条件を満足したときに開閉駆動手段が作動して開閉板が前側に開放し、上方から落下する遊技球を開閉板により開口部内の落下口へと案内するようにしたものがある。
【０００３】
この種の入賞装置は、開口部内に入賞した遊技球を検出する球検出スイッチと、複数個の落下口の内、ある特定の落下口に入った遊技球を検出する特定検出スイッチとを備え、所定数の遊技球が開口部内に入賞すれば、球検出スイッチの検出信号により開閉駆動手段が作動して開閉板が開口部を閉じるようになっている。また開閉板が１回開閉動作する間に、遊技球が特定の落下口を通過すれば、特定検出スイッチの検出信号により、再度開閉板を開放させて開口部内に遊技球を案内し、以下同様の動作を所定回数繰り返すような態様で使用されている。
【発明の開示】
【発明が解決しようとする課題】
【０００４】
　従来の入賞装置では、上方から落下する遊技球を開閉板により開口部内の各落下口へと案内するため、開口部に入賞する遊技球が特定の落下口を通過する確率は、開閉板上に遊技球が落下するときの落下位置によって左右される。
【０００５】
　一方、開口部内の特定の落下口を遊技球が通過すれば、遊技者に多数の遊技球が賞球として還元されることになるため、開口部に入賞する遊技球の内、遊技球が特定の落下口を通過する確率は、一定以下に制限しなければならないとする規則がある。
【０００６】
　そこで、従来は、この入賞装置の上方側に、遊技球が特定の落下口に入る確率を一定以下に制限するように複数本の障害釘を配列し、この複数本の障害釘の配列と、各障害釘間の間隔調整とによって、その確率を一定以下に抑えている。
【０００７】
　このため、従来は入賞装置の上方側の障害釘の配列の決定、或いはその後の障害釘の間隔調整が非常に煩わしくなるという欠点がある。また一定以下に制限できるような障害釘の配列や調整が可能であるとしても、遊技中の遊技球は不規則に動くので、各弾球遊技機を個別に見た場合には、特定の落下口に遊技球が入り易いものもあり、大量に製造される弾球遊技機の全てについて、必ずしも画一的且つ確実に確率を一定以下に制限できるとは限らないという問題がある。
【０００８】
　本発明は、このような従来の問題点に鑑み、特定の落下口に入る遊技球を容易かつ画一的に一定以下に制限できる弾球遊技機を提供することを目的とする。
【課題を解決するための手段】
【０００９】
本発明は、遊技盤5 に入賞装置16を備えた弾球遊技機において、前記入賞装置16は、内部が後壁35の前側で仕切部40により左右方向に複数個の落下口28に分割された開口部26と、該開口部26を開閉し且つ開状態のときに上方から落下する遊技球を該開口部26内へと案内する開閉板17と、該開閉板17を開閉操作する開閉駆動手段27と、前記開口部26内に入賞した遊技球を検出する球検出スイッチ36と、前記複数個の落下口28の内、特定の落下口28a を通過する遊技球を検出する特定検出スイッチ37と、前記後壁35から前側に突出し且つ前記開口部26内に入賞した遊技球の内、所定数の遊技球が前記特定の落下口28a を通過したときに、該特定の落下口28a への後続の遊技球を阻止するための阻止部材30とを備え、前記阻止部材30を前記特定の落下口28a 上の阻止位置と、該特定の落下口28a の一側の阻止解除位置との間で左右方向に移動自在に設け、前記阻止部材30を前記阻止位置と前記阻止解除位置との間で往復移動させる阻止駆動手段31を、前記後壁35の後側に左右方向に配置したものである。
【発明の効果】
【００１０】
本発明によれば、従来のような障害釘の配列、或いは障害釘間の間隔調整による確率の調整が全く不要であり、しかも、特定の落下口28a への遊技球を容易且つ画一的に一定以下に制限することができる。
【実施例】
【００１１】
　以下、本発明の実施例を図面に基づいて詳述する。図９はパチンコ機の全体図を示し、図９において、1 は前面枠で、機枠2 の前面側に開閉自在に枢着されている。前面枠1 にはガラス扉3 及び前面板4 が装着され、又その後側に遊技盤5 が着脱自在に装着されている。
【００１２】
遊技盤5 の前面には、発射された遊技球を案内するガイドレール6 が設けられると共に、障害釘の他、入賞口7 〜13、図柄表示装置14、始動ゲート15、入賞装置16及び各種の表示ランプが夫々設けられている。
【００１３】
図柄表示装置14は入賞装置16の開閉板17の開閉回数を表示する開閉表示部18と、その下側に配置された３個の図柄表示部19とを有し、その各図柄表示部19は種類の異なる図柄、例えば０〜９までの数字図柄をセグメント表示するようになっている。
【００１４】
　始動ゲート15は図柄表示装置14の変動開始用であって、図柄表示装置14の上部に配置されている。入賞装置16は所謂大当たり用であって、図柄表示装置14の各図柄表示部19の変動後における停止図柄が、予め設定された当たり図柄を表示したときに、開閉板17が開状態に作動するようになっている。
【００１５】
　前面板4 には上皿20が装着され、この上皿20の前縁部に球抜きレバー21が設けられている。前面枠2 の下部には下皿22と発射装置用の操作ハンドル23とが設けられ、この操作ハンドル23を操作すれば、上皿20から遊技球が１個づつ発射部に供給され、その遊技球を発射モーターの作動によりガイドレール6 に沿って発射するようになっている。
【００１６】
　入賞装置16は、入賞口12,13 と共に組み込まれている。遊技盤5 には、図１〜図８に示すように取付板24が装着され、この取付板24の中央部に入賞装置16が、その両側に入賞口12,13 が夫々設けられている。なお各入賞口12,13 には、取付板24の後方から着脱自在に入球検出スイッチ25が装着されている。
【００１７】
入賞装置16は、取付板24に形成された矩形状の開口部26と、この開口部26を開閉する開閉板17と、この開閉板17を開閉操作する開閉駆動手段（ソレノイド）27と、左右方向に３個の落下口28を形成する球落下ケース29と、落下口28の内の特定の落下口28a に遊技球が入らないように阻止するための阻止部材30と、この阻止部材30を左右方向に往復駆動する阻止駆動手段（ソレノイド）31と、数字表示部32とを備えている。
【００１８】
　取付板24の裏側には、図３に示すように、左右の側壁が開口部26より外側に配置されかつ下方が開口したコ字状の上部周壁33と、上下左右の４か所で後方に突出したボス34とが設けられ、このボス34の後端に球落下ケース29のベース板（後壁）35がネジで固定されている。
【００１９】
　球落下ケース29は、図１及び図４に示すように、開閉板17を開閉操作する開閉駆動手段27と、阻止部材30を横方向に駆動操作する阻止駆動手段31と、開口部26内に入球した遊技球を検出する球検出スイッチ36と、複数個の落下口28の内、特定の落下口28a に落下した遊技球を検出する特定検出スイッチ37とを備えている。
【００２０】
　ベース板35の前側には、図３に示すように、開口部26の裏側に矩形凹部を形成するための下部周壁38及び右側板39と、矩形凹部を３個の落下口28に分割する２個の仕切部40と、各入賞口12,13 の案内通路41とが前方に向かって突設されている。
【００２１】
　下部周壁38の底壁42は左側が下方となるように傾斜しており、その左端が取付板24の開口43に連通して、各落下口28に入った遊技球が、この開口43から遊技盤5 の後側に案内されるようになっている。なお開口43の裏側に球検出スイッチ36が設けられている。３個の落下口28の内、その中央の特定の落下口28a には、その左右両側の仕切部40間に後側から着脱自在に特定検出スイッチ37が挿入されている。
【００２２】
　特定検出スイッチ37の上側には、図１、図３及び図６に示すように、阻止部材30が左右方向に移動自在に設けられている。阻止部材30は開口部26内に入賞した遊技球の内、ある遊技球が特定の落下口28a を通過したときに、それ以後の後続の遊技球が特定の落下口28a に入らないように阻止するためのもので、特定の落下口28a 上の阻止位置と、一方の仕切部40上の阻止解除位置との間で、阻止駆動手段31の駆動により左右方向に往復移動可能である。
【００２３】
　阻止部材30は前端が尖った三角形断面の棒状で、その後端部がベース板35の通口を貫通して、ベース板35の裏側で左右方向に移動自在に支持された摺動部材44に連結されている。この摺動部材44の他、開閉駆動手段27、阻止駆動手段31及び球検出スイッチ36が、ベース板35とこのベース板35の裏側にネジで固定された裏板45との間に支持されている。
【００２４】
　阻止駆動手段31の可動鉄心46は右方向に突出し、かつバネ47により右方向に付勢され、その右端が摺動部材44に着脱自在に連結されている。また開閉駆動手段27の可動鉄心48は下方に突出し、かつバネ49により下方に付勢され、その下端が開閉板17を開閉させるための昇降部材50に着脱自在に連結されている。
【００２５】
　開閉板17は下部両側の枢軸51により前後方向に揺動自在に枢支されており、開口部26を開放する開状態のときに、上方から落下する遊技球を開口部26側に案内するようになっている。各枢軸51は取付板24と、下部周壁38の左側壁38a 及び右側板39の各前端との間に夫々挿入して回動自在に支持されている。
【００２６】
開閉板17は左右両側に側部リブ52を有し、その側部リブ52に、開閉板17を開状態にしたときに取付板24に当接するストッパー部53が設けられている。そして、側部リブ52の内側には、複数個の補強リブ54が略等間隔に設けられ、その中央部の左右一対の補強リブ55は、特定の落下口28a に遊技球を案内するように、前後方向に長く形成されている。
【００２７】
　昇降部材50はその両側がベース板35に突設されたガイド板56に支持されている。この昇降部材50の前端には、図７に示すように、ベース板35のガイド孔を貫通して上方に延びる連結杆57が設けられ、この連結杆57の上端に、開閉板17の側部リブ52に突設されたピン58に係合する切欠き部59が設けられている。
【００２８】
　数字表示部32は、開口部26に入球した遊技球の個数を表示するためのもので、図６に示すように、ベース板35の裏側に固定された固定板60の前側に設けられている。又数字表示部32の両側には、図８に示すように、ＬＥＤ61が夫々設けられている。なお、ベース板35の裏側の左右両側には、入賞口12,13 の排出口62が夫々設けられている。
【００２９】
次に、上記構成における動作を説明する。通常時には阻止駆動手段31と開閉駆動手段27が夫々消磁状態にあり、摺動部材44は右方向に、又昇降部材50は下方に夫々各バネ47,49 で付勢されている。このため、阻止部材30は図１及び図３に実線で示すように、特定の落下口28a 上の阻止位置に位置している。また開閉板17は、図７に実線で示すように、枢軸51から上方に起立した閉位置にあって開口部26を閉じている。従って、上方から落下する遊技球は、開閉板17の前を通って下方に落下するだけである。
【００３０】
　遊技中に始動ゲート15に遊技球が入って図柄表示装置14が作動し、各図柄表示部19の図柄が一定時間変動して停止したときに、その停止図柄が予め定められた当たり図柄になると、入賞装置16の阻止駆動手段31と開閉駆動手段27が夫々励磁し、各可動鉄心46,48 が各バネ47,49 に抗して図１、図４及び図７のａ及びb の矢示方向に夫々移動する。
【００３１】
これによって摺動部材44は左方向に移動し、阻止部材30が図１及び図３に仮想線で示すように、一方の仕切部40上の阻止解除位置に移動して特定の落下口28a を開放する。一方、昇降部材50は上方に上昇し、連結杆57が開閉板17の側部リブ52の下端側を持ち上げるので、開閉板17が枢軸51廻りに図７のｃ矢示方向に回動し、仮想線で示すように開口部26を開放する。
【００３２】
　開閉板17が開状態になると、上方から落下する遊技球が、開閉板17に受け止められて開口部26側に案内される。そして、開口部26に入球した遊技球は、その内側にある３個の落下口28の何れかに入る。
【００３３】
　特定の落下口28a に遊技球が１個入ると、その遊技球は特定検出スイッチ37によって検出され、その検出信号により阻止駆動手段31が消磁する。阻止駆動手段31が消磁すると、バネ47によって可動鉄心46及び摺動部材44が右方向に移動するため、阻止部材30が特定の落下口28a 上の阻止位置に位置し、その後に後続の遊技球が特定の落下口28a に入らないように阻止する。
【００３４】
　このとき遊技者は開口部26側から特定の落下口28a に入った遊技球を目視できると共に、阻止部材30が特定の落下口28a 上の阻止位置に位置していることを確認することにより、特定の落下口28a に遊技球が入ったか否かを判断することができる。
【００３５】
　各落下口28に入った遊技球は、下部周壁38の底壁42に沿って左端に移動し、ベース板35の開口43から遊技盤5 の後側に案内され、球検出スイッチ36によって検出される。球検出スイッチ36が１０個の遊技球を検出すると、その検出信号により開閉駆動手段27が消磁する。開閉駆動手段27が消磁すると、バネ49によって可動鉄心48、昇降部材50が下降し、連結杆57を介して開閉板17が枢軸51廻りに反ｃ矢示方向に回動し、開口部26を閉じる。
【００３６】
　このように、特定の落下口28a に遊技球が１個入ると、この特定の落下口28a 上の阻止位置に阻止部材30が位置して、それ以後の遊技球は両側の落下口28から落下するので、開口部26に１０個の遊技球が入球した内、特定の落下口28a に入る遊技球は１個以下となり、その確率は画一的且つ確実に１０分の１以下となる。
【００３７】
　そして、開閉板17が１回開閉動作する間に、特定の落下口28a に遊技球が入れば、開閉板17が開口部26を一端閉じた後、直ぐに開閉駆動手段27及び阻止駆動手段31が励磁して、開閉板17及び特定の落下口28a の上部が開放し、以下同様の動作を１６回まで繰り返す。なお、このときの開閉板17の開閉回数は図柄表示装置14の開閉表示部18に表示される。
【００３８】
　上記実施例では、パチンコ機の入賞装置16について説明したが、本発明はパチンコ機用、或いはその入賞装置16に限定されるものではなく、アレンジボール機等においても同様に実施できることは言うまでもない。更に開閉板17を閉塞させる際の遊技球の数は、９個以下若しくは１１以上であっても良く、また阻止部材30を移動させる際の遊技球の数も２個若しくはそれ以上であってもよい。
【図面の簡単な説明】
【００３９】
【図１】本発明の一実施例を示す入賞装置の平断面図である。
【図２】本発明の一実施例を示す入賞装置の平面図である。
【図３】図１のＡ−Ａ線断面図である。
【図４】図１のＢ−Ｂ線断面図である。
【図５】図１のＣ−Ｃ線断面図である。
【図６】図１のＤ−Ｄ線断面図である。
【図７】図１のＥ−Ｅ線断面図である。
【図８】図１のＦ−Ｆ線断面図である。
【図９】本発明の一実施例を示すパチンコ機の正面図である。
【符号の説明】
【００４０】
　 5  遊技盤
　16  入賞装置
17  開閉板
26  開口部
27  開閉駆動手段
28  落下口
28a 特定の落下口
30  阻止部材
　31  阻止駆動手段
35  ベース板（後壁）
36  球検出スイッチ
37  特定検出スイッチ
　40  仕切部
【図１】
2004008815.tif 000003
【図２】
2004008815.tif 000004
【図３】
2004008815.tif 000005
【図４】
2004008815.tif 000006
【図５】
2004008815.tif 000007
【図６】
2004008815.tif 000008
【図７】
2004008815.tif 000009
【図８】
2004008815.tif 000010
【図９】
2004008815.tif 000011